(57)【要約】    【課題】ファインダ倍率の変倍比が１．７倍程度で、低コストの実像式変倍ファインダを提供する。  【解決手段】物体側から順に、負の屈折力を有する第１レンズ群G1、正の屈折力を有する第２レンズ群G2、負の屈折力を有する第３レンズ群G3からなる対物光学系１と、対物光学系１による中間像を正立正像にするための正立光学系と、正の屈折力を有する接眼光学系２とからなり、少なくとも第２レンズ群G2を光軸方向に移動させて変倍する実像式変倍ファインダ光学系で、以下の条件を満足することを特徴とする。      ０．０５  <  ｂｆ/Ｄ  <  ０．３５但し、ｂｆは対物光学系の第３レンズ群の最も瞳側の面から正立光学系の最も物体側の面までの距離、Ｄは望遠端における対物光学系の第１レンズ群の最も部体側の面から正立光学系の最も物体側の面までの距離である。【選択図】図１
2006162781.tif 000002
【特許請求の範囲】
【請求項１】
物体側から瞳側に向かって順に、負の屈折力を有する第１レンズ群、正の屈折力を有する第２レンズ群、負の屈折力を有する第３レンズ群からなる対物光学系と、前記対物光学系による中間像を正立正像にするための正立光学系と、正の屈折力を有する接眼光学系とからなり、少なくとも前記第２レンズ群を光軸方向に移動させて変倍する実像式変倍ファインダ光学系において、以下の条件を満足することを特徴とする実像式変倍ファインダ光学系。
０．０５  <  ｂｆ/Ｄ  <  ０．３５
但し、ｂｆは対物光学系の第３レンズ群の最も瞳側の面から正立光学系の最も物体側の面までの距離、Ｄは望遠端における対物光学系の第１レンズ群の最も物体側の面から正立光学系の最も物体側の面までの距離である。
【請求項２】
前記第３レンズ群は、変倍時固定であることを特徴とする請求項１に記載の実像式変倍ファインダ光学系。
【請求項３】
物体側から瞳側に向かって順に、負の屈折力を有する第１レンズ群、正の屈折力を有する第２レンズ群、負の屈折力を有する第３レンズ群からなる対物光学系と、前記対物光学系による中間像を正立正像にするための正立光学系と、正の屈折力を有する接眼光学系とからなり、少なくとも前記第２レンズ群を光軸方向に移動させて変倍し、前記正立光学系は中間像位置よりも瞳側に配置されていることを特徴とする実像式変倍ファインダ光学系。
【請求項４】
前記対物光学系の各レンズ群は単レンズからなることを特徴とする請求項１乃至３の何れかに記載の実像式変倍ファインダ光学系。
【請求項５】
前記正立光学系は一つの光学素子からなることを特徴とする請求項１乃至４の何れかに記載の実像式変倍ファインダ光学系。
【請求項６】
前記正立光学系は一つのポロプリズムからなることを特徴とする請求項１乃至５の何れかに記載の実像式変倍ファインダ光学系。
【請求項７】
前記第２レンズ群が最も中間結像面に近づいた状態での、前記第２レンズ群の瞳側の面位置近傍または該位置から光軸方向に１ｍｍ以内の範囲に、前記対物光学系の状態に関らず固定のフレア絞りを有することを特徴とする請求項１乃至６の何れかに記載の実像式変倍ファインダ光学系。
【請求項８】
以下の条件を更に満足することを特徴とする請求項１に記載の実像式変倍ファインダ光学系。
０．０５  <  ｂｆ/Ｄ  <  ０．３
【請求項９】
請求項１乃至８の何れかに記載の実像式変倍ファインダ光学系と、前記ファインダ光学系と異なる光軸を有する撮像光学系とを備えることを特徴とする撮像装置。
【発明の詳細な説明】
【技術分野】
【０００１】
本発明は、写真用カメラ等に用いられる実像式変倍ファインダ光学系及びそれを備えた撮像装置に関する。
【背景技術】
【０００２】
低価格のレンズシャッタ式カメラにおいては、ズームレンズを搭載したものでも虚像式ファインダが多く用いられているが、視野枠がわかりにくく、また、レンズ自体が大きくなることから、実像式ファインダを用いるようになった。
【発明の開示】
【発明が解決しようとする課題】
【０００３】
従来は、簡易な構成の実像式変倍ファインダにおいても、中間像を境に対物系と接眼系それぞれに正立光学系を分けて配しファインダ全体の小型化を図っている。多くの場合、二つのプリズムを用いて正立系を構成しており、プラスチックで形成されていても、成形時間が長くかかるなどコスト面では好ましくない。
正立系の一部にミラーを用いてコスト低減を図っているものもあるが、全反射はできないため光量低下が発生する。
【０００４】
本発明は、このような従来技術の問題点に鑑みてなされたものであり、その目的とするところは、ファインダ倍率の変倍比が１．７倍程度で、低コストの実像式変倍ファインダを提供することにある。
【課題を解決するための手段】
【０００５】
上記目的を目的を達成するため、本第１の発明による実像式変倍ファインダ光学系は、物体側から瞳側に向かって順に、負の屈折力を有する第１レンズ群、正の屈折力を有する第２レンズ群、負の屈折力を有する第３レンズ群からなる対物光学系と、前記対物光学系による中間像を正立正像にするための正立光学系と、正の屈折力を有する接眼光学系とからなり、少なくとも前記第２レンズ群を光軸方向に移動させて変倍する実像式変倍ファインダ光学系において、以下の条件式を満足することを特徴とする。
０．０５  <  ｂｆ/Ｄ  <  ０．３５
但し、ｂｆは対物光学系の第３レンズ群の最も瞳側の面から正立光学系の最も物体側の面までの距離、Ｄは望遠端における対物光学系の第１レンズ群の最も物体側の面から正立光学系の最も物体側の面までの距離である。
上記条件式の上限を上回ると、対物光学系の全長が長くなり、カメラが厚くなるため、反射部材を入れて光路長を縮める構成を採らざるを得ず、コストアップにつながる。また、下限を下廻ると、最も物体側の反射面の物体側に隣接する曲率を有する屈折面と中間結像面との視度の差が小さくなり、ごみの写り込みに工程設計の注意が必要になる。
上記条件式は、好ましくは以下の範囲を満足する。
０．０５  <  ｂｆ/Ｄ  <  ０．３である。
また、前記第３レンズ群が、変倍時固定であることが好ましい。
【０００６】
また、本第２の発明による実像式変倍ファインダ光学系は、物体側から瞳側に向かって順に、負の屈折力を有する第１レンズ群、正の屈折力を有する第２レンズ群、負の屈折力を有する第３レンズ群からなる対物光学系と、前記対物光学系による中間像を正立正像にするための正立光学系と、正の屈折力を有する接眼光学系とからなり、少なくとも前記第２レンズ群を光軸方向に移動させて変倍し、前記正立光学系は中間像位置よりも瞳側に配置されていることを特徴とする。
【０００７】
また、前記対物光学系の各レンズ群は単レンズからなることが好ましい。
さらに、前記正立光学系は一つの光学素子からなることが好ましい。
また、好ましくは、前記正立光学系は一つのポロプリズムからなる。
さらに、前記第２レンズ群が最も中間結像面に近づいた状態での、前記第２レンズ群の瞳側の面位置近傍または該位置から光軸方向に１ｍｍ以内の範囲に、前記対物光学系の状態に関らず固定のフレア絞りを有することが好ましい。
また、本発明による撮像装置は、上記の実像式変倍ファインダ光学系と、前記ファインダ光学系と異なる光軸を有する撮像光学系とを備えていることを特徴とする。
【発明の効果】
【０００８】
本第１の発明によれば、対物光学系の全長を短くすることができるため、カメラの小型化が可能となる。
本第２の発明によれば、部品や組み立てのコストを削減できる。
【発明を実施するための最良の形態】
【０００９】
実施例の説明に先立ち、本発明の作用効果について説明する。
本第１の発明による実像式変倍ファインダ光学系は、物体側から瞳側に向かって順に、負の屈折力を有する第１レンズ群、正の屈折力を有する第２レンズ群、負の屈折力を有する第３レンズ群からなる対物光学系と、前記対物光学系による中間像を正立正像にするための正立光学系と、正の屈折力を有する接眼光学系とからなり、少なくとも前記第２レンズ群を光軸方向に移動させて変倍する実像式変倍ファインダ光学系において、以下の条件を満足することを特徴とする。
０．０５  <  ｂｆ/Ｄ  <  ０．３５
但し、ｂｆは対物光学系の第３レンズ群の最も瞳側の面から正立光学系の最も物体側の面までの距離、Ｄは望遠端における対物光学系の第１レンズ群の最も物体側の面から正立光学系の最も物体側の面までの距離である。
上記条件式は、好ましくは以下の範囲を満足する。
０．０５  <  ｂｆ/Ｄ  <  ０．３
この発明によれば、対物光学系の構成を負・正・負とすることで、対物系のバックフォーカスを短くすることができ、結果として対物光学系の全長を短くすることができ、カメラの小型化が可能となる。
【００１０】
また、前記第３レンズ群が、変倍時固定であることが好ましい。
対物光学系を構成するレンズ群の中で最も中間像位置に近いレンズを固定にすることで、中間像面付近の密封性を容易に確保できる。これにより、組立後の中間結像面へのごみの進入を抑えることができ、ごみに対する工程管理を難しくしないで済む。
【００１１】
また、本第２の発明による実像式変倍ファインダ光学系は、物体側から瞳側に向かって順に、負の屈折力を有する第１レンズ群、正の屈折力を有する第２レンズ群、負の屈折力を有する第３レンズ群からなる対物光学系と、前記対物光学系による中間像を正立正像にするための正立光学系と、正の屈折力を有する接眼光学系とからなり、少なくとも前記第２レンズ群を光軸方向に移動させて変倍し、前記正立光学系は中間像位置よりも瞳側に配置されていることを特徴とする。
正立光学系を接眼側のみに負担させ、正立に必要な部品点数を一箇所に集中させることで、部品や組み立てのコストを削減できる。
【００１２】
また、前記対物光学系の各レンズ群は単レンズからなることが好ましい。
これにより、余り高変倍でない場合、コストと品質のバランスの良い実像式変倍ファインダ光学系を提供できる。
【００１３】
さらに、前記正立光学系は、一つの光学素子からなることが好ましい。
光学素子部品の精度を管理することにより、品質保証のし易い実像式変倍ファインダ光学系を提供できる。
【００１４】
また、好ましくは、前記正立光学系は、一つのポロプリズムからなる。
これにより、部品への要求精度が余り高くなくて済むから低コストで部品を作ることができ、実像式変倍ファインダ光学系の製造コストを低減できる。
【００１５】
さらに、前記第２レンズ群が最も中間結像面に近づいた状態での、前記第２レンズ群の瞳側の面位置近傍または該位置から光軸方向に１ｍｍ以内の範囲に、前記対物光学系の状態に関らず固定のフレア絞りを有することが好ましい。
このように、第２レンズ群が最も中間結像面に近づいた時の面位置付近にフレア絞りを固定することで、ファインダを構成する構造部材でフレア絞りを作ることができ、コストを増加させることなく効果的にフレアを抑えることができる。
また、本発明による撮像装置は、上記の実像式変倍ファインダ光学系と、前記ファインダ光学系と異なる光軸を有する撮像光学系とを備えていることを特徴とする。
この発明によれば、上記ファインダ光学系と同様の作用効果が得られる。
【００１６】
以下、図示した実施例に基づき、本発明を詳細に説明する。
第一実施例
図１は、本実施例にかかる実像式変倍ファインダ光学系の構成を示す光軸に沿う断面図であり、（a）は広角、（b）は中間、（c）は望遠での状態をそれぞれ示している。
【００１７】
本実施例の光学系は、図１（a）乃至（c）に示すように、対物レンズ系１と接眼レンズ系２とにより構成されている。対物レンズ系１は、一枚の負レンズからなる第一レンズ群G1と、一枚の正レンズからなる第二レンズ群G2と、フレア絞りSと、一枚の負レンズからなる第三レンズ群G3とにより構成されている。そして、第一レンズ群G1及び第二レンズ群G2は、それぞれ独立に光軸Lc上を移動できるようになっている。また、接眼レンズ系２は入射面に視野枠Fを設けた複数回反射可能なプリズム２aと一枚の正レンズ２bとにより構成されている。
【００１８】
このように構成された本実施例の光学系では、第一レンズ群G1及び第二レンズ群G2が光軸Lc上を移動することにより、変倍が行なわれる。また、本実施例の光学系では、プリズム２aにおいて、対物レンズ系１中の第一レンズ群G1, 第二レンズ群G2及び第三レンズ群G3により形成された逆転像（中間結像）が複数回反射され、更に、接眼レンズ系２中の正レンズ２bを介することにより、正立正像が得られる。また、第二レンズ群G2と第三レンズ群G3との間には開口の大きさを調節できるフレア絞りSが設けられていて、有害光を防止し、良好な視野像を得ることができるようになっている。
【００１９】
次に、本実施例にかかる実像式変倍ファインダ光学系を構成するレンズの数値データを示す。
なお、非球面係数中、例えば、非球面S3のＡ4−２．５８０９E−０３は、
−２．５８０９×１０-3とも表示され得るが、本数値データ中では、全て前者の形式で表示してある。
【００２０】
ファインダー倍率
０.３７（広角）,  ０.５１（中間）,  ０.７０（望遠）
半画角（ω）
２５.８９°（広角）,  １８.０８°（中間）,  １２.８４（望遠）
【００２１】
面          ＲＤＹ          ＴＨＩ          Ｎｄ          Ｖｄ
物点                         3000
１         -10.367           1.00         1.58393        30.21
２           9.504           D2
３           4.662           4.15         1.49309        57.54
４          -5.424           D4
５      フレア絞り（Ｓ）     2.77
６          -5.011           3.14         1.58393        30.21
７          -9.639           4.39
８       視野枠（Ｆ）        0.00
９           7.394          25.95         1.49309        57.54
１０           ∞            1.20
１１        12.235           2.10         1.49309        57.54
１２       -41.068          15.00
１３      アイポイント（φ4)
【００２２】
非球面係数
面        ＲＤＹ      A4           A6           A8          A10
３        4.662  -2.5809E-03  -4.3518E-05   3.4003E-06   3.6815E-08
４       -5.424   1.3463E-03  -1.7528E-05  -4.5912E-06   6.4945E-07
６       -5.011   1.4727E-03  -2.6583E-04  -1.1202E-08   0.0000E+00
１１    12.235   -1.5181E-04   9.5215E-07   3.8618E-10   0.0000E+00
【００２３】
ズーム間隔
広角        中間        望遠
Ｄ２      5.671       2.978      1.000
Ｄ４      0.800       2.120      4.022
【００２４】
また、前記条件式データは、ｂｆ＝４．３９、ｄ＝２０．４７、ｂｆ/ｄ＝０．２１である。
【００２５】
なお、図２は、本実施例にかかる実像式変倍ファインダ光学系の収差図であり、（a）は広角、（b）は中間、（c）は望遠での状態をそれぞれ示している。
【００２６】
第二実施例
図３は、本実施例にかかる実像式変倍ファインダ光学系の構成を示す光軸に沿う断面図であり、（a）は広角、（b）は中間、（c）は望遠での状態をそれぞれ示している。
【００２７】
本実施例の光学系は、図３（a）乃至（c）に示すように、対物レンズ系１と接眼レンズ系２とにより構成されている。対物レンズ系１は、一枚の負レンズからなる第一レンズ群G1と、一枚の正レンズからなる第二レンズ群G2と、フレア絞りSと、一枚の負レンズからなる第三レンズ群G3とにより構成されている。そして、第一レンズ群G1及び第二レンズ群G2は、それぞれ独立に光軸Lc上を移動できるようになっている。また、接眼レンズ系２は入射面に視野枠Fを設けた複数回反射可能なプリズム２aと一枚の正レンズ２bとにより構成されている。
【００２８】
このように構成された本実施例の光学系では、第一レンズ群G1及び第二レンズ群G2が光軸Lc上を移動することにより、変倍が行なわれる。また、本実施例の光学系では、プリズム２aにおいて、対物レンズ系１中の第一レンズ群G1, 第二レンズ群G2及び第三レンズ群G3により形成された逆転像（中間結像）が複数回反射され、更に、接眼レンズ系２中の正レンズ２bを介することにより、正立正像が得られる。また、第二レンズ群G2と第三レンズ群G3との間には開口の大きさを調節できるフレア絞りSが設けられていて、有害光を防止し、良好な視野像を得ることができるようになっている。
【００２９】
次に、本実施例にかかる実像式変倍ファインダ光学系を構成するレンズの数値データを示す。
ファインダー倍率
０.３７（広角）,  ０.５１（中間）,  ０.７０（望遠）
半画角（ω）
２５.８９°（広角）,  １８.０８°（中間）,  １２.８４（望遠）
【００３０】
面          ＲＤＹ          ＴＨＩ          Ｎｄ          Ｖｄ
物点                         3000
１         -10.567           1.00         1.58393        30.21
２           9.657           D2
３           6.645           4.14         1.49309        57.54
４          -5.339           D4
５      フレア絞り（Ｓ）     2.78
６          -4.977           3.61         1.58393        30.21
７          -9.818           3.91
８       視野枠（Ｆ）        0.00
９           7.402          25.95         1.49309        57.54
１０           ∞            1.20
１１        12.242           2.10         1.49309        57.54
１２       -40.999          15.00
１３       アイポイント（φ4)
【００３１】
非球面係数
面        ＲＤＹ      A4           A6           A8          A10
３        4.645  -2.6482E-03   -8.3672E-05    1.1599E-05  3.8498E-08
４       -5.339   1.3996E-03    4.8330E-05    4.7560E-07  5.2090E-07
６       -4.977   1.5370E-03   -2.7436E-04   -4.0615E-08  0.0000E+00
１１     12.242  -1.5158E-04    9.9710E-07   -1.3783E-09  0.0000E+00
【００３２】
ズーム間隔
広角        中間        望遠
Ｄ２      5.682       2.927      0.906
Ｄ４      0.800       2.074      3.908
【００３３】
また、前記条件式データは、ｂｆ＝４．３９、ｄ＝２０．４７、ｂｆ/ｄ＝０．２１である。
【００３４】
また、前記条件式データは、ｂｆ＝３．９１、ｄ＝２０．２５、ｂｆ/ｄ＝０．１９である。
【００３５】
なお、図４は、本実施例にかかる実像式変倍ファインダ光学系の収差図であり、（a）は広角、（b）は中間、（c）は望遠での状態をそれぞれ示している。
【００３６】
第三実施例
図５は、本実施例にかかる実像式変倍ファインダ光学系の構成を示す光軸に沿う断面図であり、（a）は広角、（b）は中間、（c）は望遠での状態をそれぞれ示している。
【００３７】
本実施例の光学系は、図５（a）乃至（c）に示すように、対物レンズ系１と接眼レンズ系２とにより構成されている。対物レンズ系１は、一枚の負レンズからなる第一レンズ群G1と、一枚の正レンズからなる第二レンズ群G2と、フレア絞りSと、一枚の負レンズからなる第三レンズ群G3とにより構成されている。そして、第一レンズ群G1及び第二レンズ群G2は、それぞれ独立に光軸Lc上を移動できるようになっている。また、接眼レンズ系２は入射面に視野枠Fを設けた複数回反射可能なプリズム２aと一枚の正レンズ２bとにより構成されている。
【００３８】
このように構成された本実施例の光学系では、第一レンズ群G1及び第二レンズ群G2が光軸Lc上を移動することにより、変倍が行なわれる。また、本実施例の光学系では、プリズム２aにおいて、対物レンズ系１中の第一レンズ群G1, 第二レンズ群G2及び第三レンズ群G3により形成された逆転像（中間結像）が複数回反射され、更に、接眼レンズ系２中の正レンズ２bを介することにより、正立正像が得られる。また、第二レンズ群G2と第三レンズ群G3との間には開口の大きさを調節できるフレア絞りSが設けられていて、有害光を防止し、良好な視野像を得ることができるようになっている。
【００３９】
次に、本実施例にかかる実像式変倍ファインダ光学系を構成するレンズの数値データを示す。
ファインダー倍率
０.３７（広角）,  ０.５１（中間）,  ０.７０（望遠）
半画角（ω）
２５.９１°（広角）,  １８.１５°（中間）,  １２.９３（望遠）
【００４０】
面          ＲＤＹ          ＴＨＩ          Ｎｄ          Ｖｄ
物点                         3000
１         -10.866           1.00         1.58393        30.21
２           9.298           5.69
３           6.151           4.13         1.49309        57.54
４          -4.733           0.80
５      フレア絞り（Ｓ）     3.04
６          -5.428           1.30         1.58393        30.21
７          -9.680           6.00
８       視野枠（Ｆ）        0.00
９           7.390          25.95         1.49309        57.54
１０           ∞            1.20
１１        12.544           2.10         1.49309        57.54
１２       -37.924          15.00
１３      アイポイント（φ4)
【００４１】
非球面係数
面        ＲＤＹ      A4           A6           A8          A10
３        6.151   -2.9022E-03  -1.0914E-04  -4.5483E-06  3.6815E-08
４       -4.733    5.6732E-04  -3.8509E-05  -7.2862E-06  6.4945E-07
６       -5.428    1.5637E-03  -4.5925E-04   4.0234E-05  0.0000E+00
１１     12.544   -1.5541E-04   1.8417E-06  -5.0945E-08  0.0000E+00
【００４２】
ズーム間隔
広角        中間        望遠
Ｄ２      5.692       2.989      1.000
Ｄ４      0.800       2.232      4.289
【００４３】
また、前記条件式データは、ｂｆ＝６．００、ｄ＝２０．７６、ｂｆ/ｄ＝０．２９である。
【００４４】
なお、図６は、本実施例にかかる実像式変倍ファインダ光学系の収差図であり、（a）は広角、（b）は中間、（c）は望遠での状態をそれぞれ示している。
【００４５】
第四実施例
図７は、本実施例にかかる実像式変倍ファインダ光学系の構成を示す光軸に沿う断面図であり、（a）は広角、（b）は中間、（c）は望遠での状態をそれぞれ示している。
【００４６】
本実施例の光学系は、図７（a）乃至（c）に示すように、対物レンズ系１と接眼レンズ系２とにより構成されている。対物レンズ系１は、一枚の負レンズからなる第一レンズ群G1と、一枚の正レンズからなる第二レンズ群G2と、フレア絞りSと、一枚の負レンズからなる第三レンズ群G3とにより構成されている。そして、第一レンズ群G1及び第二レンズ群G2は、それぞれ独立に光軸Lc上を移動できるようになっている。また、接眼レンズ系２は入射面に視野枠Fを設けた複数回反射可能なプリズム２aと一枚の正レンズ２bとにより構成されている。
【００４７】
このように構成された本実施例の光学系では、第一レンズ群G1及び第二レンズ群G2が光軸Lc上を移動することにより、変倍が行なわれる。また、本実施例の光学系では、プリズム２aにおいて、対物レンズ系１中の第一レンズ群G1, 第二レンズ群G2及び第三レンズ群G3により形成された逆転像（中間結像）が複数回反射され、更に、接眼レンズ系２中の正レンズ２bを介することにより、正立正像が得られる。また、第二レンズ群G2と第三レンズ群G3との間には開口の大きさを調節できるフレア絞りSが設けられていて、有害光を防止し、良好な視野像を得ることができるようになっている。
【００４８】
次に、本実施例にかかる実像式変倍ファインダ光学系を構成するレンズの数値データを示す。
ファインダー倍率
０.３８（広角）,  ０.５２（中間）,  ０.７２（望遠）
半画角（ω）
２６.００°（広角）,  １８.３１°（中間）,  １２.９３（望遠）
【００４９】
面          ＲＤＹ          ＴＨＩ          Ｎｄ          Ｖｄ
物点                         3000
１          -9.631           1.00         1.58393        30.21
２           9.437           5.41
３           5.029           4.23         1.49309        57.54
４          -5.172           0.80
５      フレア絞り（Ｓ）     2.03
６          -5.731           1.82         1.58393        30.21
７         -10.821           6.81
８       視野枠（Ｆ）        0.00
９           7.602          27.00         1.49309        57.54
１０           ∞            0.50
１１        12.263           2.10         1.49309        57.54
１２       -40.677          15.00
１３      アイポイント（φ5)
【００５０】
非球面係数
面        ＲＤＹ      A4           A6           A8          A10
３        5.029   -2.4347E-03  -4.3478E-05  -7.0448E-06  1.4948E-08
４       -5.172    1.2063E-03  -4.9899E-05  -5.0549E-06  3.7380E-07
６       -5.731    2.0567E-03  -6.5305E-04   2.0994E-05  0.0000E+00
７       -10.821   7.4485E-04  -1.3458E-04  -9.9735E-06  5.3083E-07
１１      12.263  -1.5401E-04   1.5772E-06  -3.5513E-08  0.0000E+00
【００５１】
ズーム間隔
広角        中間        望遠
Ｄ２      5.411       2.919      1.000
Ｄ４      0.800       2.185      4.279
【００５２】
また、前記条件式データは、ｂｆ＝６．８１、ｄ＝２１．１６、ｂｆ/ｄ＝０．３２である。
【００５３】
なお、図８は、本実施例にかかる実像式変倍ファインダ光学系の収差図であり、（a）は広角、（b）は中間、（c）は望遠での状態をそれぞれ示した図である。
【００５４】
上記各実施例において、RDYは各レンズ面またはプリズム面の曲率半径、THIは各レンズまたはプリズムの肉厚または間隔、Ndは各レンズまたはプリズムの屈折率、Vdは各レンズまたはプリズムのアッベ数、Kは円錐係数、A4，A6，A8，A10は非球面係数をそれぞれ示している。
また、上記各非球面形状は、上記各非球面係数を用いて以下の式で表される。但し、光軸方向の座標をZ、光軸と垂直な方向の座標をYとする。
Z＝(Y2/r)/[1+[1-(1+K)・(Y/r)2]1/2]＋A4Y4＋Y A66＋A8Y8＋A10Y10
【００５５】
上述のように構成した本発明による実像式変倍ファインダ光学系は、３５ｍｍフィルム用カメラ、ＡＰＳフィルム対応カメラ等のコンパクトカメラや、ＣＣＤやＣＭＯＳセンサー等の電子撮像素子を用いたデジタルカメラ、ビデオムービー等の各種撮影装置に用いることができる。以下にその具体的な適用例を示す。
【００５６】
図９乃至図１１は、本発明の実像式変倍ファインダ光学系を組み込んだ電子カメラの実施例を示す図であり、図９は電子カメラの外観を前方からみた斜視図、図１０は電子カメラの外観を後方からみた斜視図、図１１は電子カメラの光学的構成を示す断面図である。
【００５７】
図９乃至図１１に示すように、電子カメラ２００は、撮影用光賂２０１を有する撮影光学系２０２と、ファインダー用光路２０３を有する本発明のファインダー光学系２０４と、レリーズボタン２０５と、ストロボ２０６と、液晶表示モニター２０７を備えている。電子カメラ２００の上部に配置されたレリーズボタン２０５を押圧すると、それに連動して撮影光学系２０２を介して撮影が行われる。この撮影光学系２０２を通過することによって形成された像が、ＩＲ（赤外線）カットフィルターや、ローパスフィルター等の各種フィルター２０８を介してＣＣＤ等の撮像素子チップ２０９上に形成される。
【００５８】
撮像素子チップ２０９で受光された物体像は、端子２１０と電気的に接続された処理手段２１１を介して電子画像として電子カメラ２００の背面に設けられた液晶表示モニター２０７に表示される。また、この処理手段２１１は、撮像素子チップ２０９で受光された物体像を電子情報として記録する記録手段２１２の制御も行う。記録手段２１２は、処理手段２１１と電気的に接続されている。なお、記録手段２１２は、フロッピー（登録商標）ディスクやスマートメディア、メモリカード等の何れかの記録媒体に電子的に記録を書き込むデバイスであっても良い。
【００５９】
さらに、ファインダー用光路２０３を有するファインダー光学系２０４は、撮影光学系２０２がズームレンズである場合は、上記各実施例の何れかの実像式変倍ファインダー２０４中の対物光学系を、撮影範囲が観察できる単焦点の対物光学系とすることもできる。
【００６０】
また、正立光学系としては、正立正像化がなしうるものであれば特に構成は限定されないが、例えば、図１２（a）、（b）に示すようなポロ型プリズムや、図１２（c）に示すように１面反射面とダハ反射面により形成されるプリズム等が用いられる。
【００６１】
さらに、正立正像化は、正立光学系において中間像を４回反射させて接眼光学系のみで行っても良く、また、対物光学系の第三レンズ群Ｇ3と視野枠との間に反射面を設け、対物光学系において中間像を１回反射させ、続いて接眼光学系で３回反射させることにより行っても良い。また、反射面は平面に限らず曲面で構成しても良い。
【００６２】
また、撮像素子チップ２０９に代えて、撮影用フィルムを配置する構成としても、視認性の優れたフィルム撮影用のコンパクトカメラが達成できる。
【図面の簡単な説明】
【００６３】
【図１】本発明の第一実施例にかかる実像式変倍ファインダ光学系の構成を示す光軸に沿う断面図であり、（a）は広角、（b）は中間、（c）は望遠での状態をそれぞれ示ている。
【図２】本発明の第一実施例にかかる実像式変倍ファインダ光学系の収差曲線図であり、（a）は広角、（b）は中間、（c）は望遠での状態をそれぞれ示している。
【図３】本発明の第二実施例にかかる実像式変倍ファインダ光学系の構成を示す光軸に沿う断面図であり、（a）は広角、（b）は中間、（c）は望遠での状態をそれぞれ示ている。
【図４】本発明の第二実施例にかかる実像式変倍ファインダ光学系の収差曲線図であり、（a）は広角、（b）は中間、（c）は望遠での状態をそれぞれ示している。
【図５】本発明の第三実施例にかかる実像式変倍ファインダ光学系の構成を示す光軸に沿う断面図であり、（a）は広角、（b）は中間、（c）は望遠での状態をそれぞれ示ている。
【図６】本発明の第三実施例にかかる実像式変倍ファインダ光学系の収差曲線図であり、（a）は広角、（b）は中間、（c）は望遠での状態をそれぞれ示している。
【図７】本発明の第四実施例にかかる実像式変倍ファインダ光学系の構成を示す光軸に沿う断面図であり、（a）は広角、（b）は中間、（c）は望遠での状態をそれぞれ示ている。
【図８】本発明の第四実施例にかかる実像式変倍ファインダ光学系の収差曲線図であり、（a）は広角、（b）は中間、（c）は望遠での状態をそれぞれ示している。
【図９】本発明の実像式変倍ファインダ光学系を組み込んだ電子カメラの外観を前方からみた斜視図である。
【図１０】図９の電子カメラの外観を後方からみた斜視図である。
【図１１】本発明の実像式変倍ファインダ光学系を組み込んだ電子カメラの光学的構成を示す断面図である。
【図１２】正立光学系の光学構成を例示した斜視図で、（a）、（b）はポロ型プリズムを用いた例を、（c）は１面反射面とダハ反射面により形成されるプリズムを用いた例である。
【符号の説明】
【００６４】
１                 対物レンズ系
２                 接眼レンズ系
２a                プリズム
２b                正レンズ
２００             電子カメラ
２０１             撮影用光路
２０２             撮影光学系
２０３             ファインダー用光路
２０４             ファインダー光学系
２０５             レリーズボタン
２０６             ストロボ
２０７             液晶表示モニター
２０８             各種フィルター
２０９             撮像素子チップ
２１０             端子
２１１             処理手段
２１２             記録手段
G1                 第一レンズ群
G2                 第二レンズ群
G3                 第三レンズ群
G4                 第四レンズ群
S                  フレア絞り
F                  視野枠
Lc                 光軸
【図１】
2006162781.tif 000003
【図２】
2006162781.tif 000004
【図３】
2006162781.tif 000005
【図４】
2006162781.tif 000006
【図５】
2006162781.tif 000007
【図６】
2006162781.tif 000008
【図７】
2006162781.tif 000009
【図８】
2006162781.tif 000010
【図９】
2006162781.tif 000011
【図１０】
2006162781.tif 000012
【図１１】
2006162781.tif 000013
【図１２】
2006162781.tif 000014